(57)【要約】【課題】異なる無線基地局ｅＮＢ配下のセル間におけるハンドオーバ手順において、ネットワーク主導で「ＲＲＣ  ｄｉｖｅｒｓｉｔｙ」を実現する。【解決手段】本発明に係る移動通信方法は、移動局ＵＥが、無線基地局ｅＮＢ＃１に対して、「ｍｅａｓｕｒｅｍｅｎｔ  ｒｅｐｏｒｔ」を送信する工程と、無線基地局ｅＮＢ＃１が、無線基地局ｅＮＢ＃１０に対して「ＣｏＭＰ  ｐｒｅｐａｒａｔｉｏｎ」を送信する工程と、無線基地局ｅＮＢ＃１０が、無線基地局ｅＮＢ＃１に対してセル＃１０の設定情報を送信する工程と、無線基地局ｅＮＢ＃１が、移動局ＵＥに対してＣｏＭＰ送受信を設定する工程と、移動局ＵＥが、無線基地局ｅＮＢ＃１に対してセル＃１０における無線品質を通知する工程と、無線基地局ｅＮＢ＃１は、移動局ＵＥに対してＣｏＭＰ送受信のアクティブ化を指示する工程とを有する。【選択図】図４
2014220692.tif 000002
【特許請求の範囲】
【請求項１】
第１無線基地局配下の第１セルに接続している移動局が、該第１無線基地局に対して、第２無線基地局配下の第２セルに係る情報を含む測定報告を送信する工程Ａと、
前記第１無線基地局が、前記第２無線基地局に対して、マルチポイント協調送受信準備信号を送信する工程Ｂと、
前記第２無線基地局が、前記第１無線基地局に対して、前記第２セルの設定情報を送信する工程Ｃと、
前記第１無線基地局が、前記移動局に対して、該第１無線基地局及び前記第２無線基地局を用いたマルチポイント協調送受信を設定する工程Ｄと、
前記移動局が、前記第１無線基地局に対して、前記第２セルにおける無線品質を通知する工程Ｅと、
前記第１無線基地局は、前記通知に応じて、前記第２無線基地局に対して、前記移動局に対するスケジューリングの開始を指示し、該移動局に対して、前記マルチポイント協調送受信のアクティブ化を指示する工程Ｆとを有することを特徴とする移動通信方法。
【請求項２】
前記マルチポイント協調送受信準備信号は、前記第１無線基地局の識別情報と、前記移動局の識別情報と、前記測定報告に含まれる測定結果とを含むことを特徴とする請求項１に記載の移動通信方法。
【請求項３】
前記工程Ｃにおいて、前記第２無線基地局は、マルチポイント協調送受信肯定応答信号によって、前記第２セルの設定情報を送信し、
前記マルチポイント協調送受信肯定応答信号は、前記第２無線基地局の識別情報と、前記移動局の識別情報と、該移動局に対して割り当てるリソース情報とを含むことを特徴とする請求項１又は２に記載の移動通信方法。
【請求項４】
前記第１無線基地局が、前記第２無線基地局からのマルチポイント協調送受信否定応答信号に応じて、前記移動局に対する前記マルチポイント協調送受信の設定を解除する工程を更に有することを特徴とする請求項１乃至３のいずれか一項に記載の移動通信方法。
【請求項５】
前記第１無線基地局が、前記移動局との間のＲＲＣコネクション解放手順において、該移動局に対する前記マルチポイント協調送受信の設定を解除する工程を更に有することを特徴とする請求項１乃至３のいずれか一項に記載の移動通信方法。
【請求項６】
前記第１無線基地局が、前記移動局の移動状況に応じて、該移動局に対する前記マルチポイント協調送受信の設定を解除する工程を更に有することを特徴とする請求項１乃至３のいずれか一項に記載の移動通信方法。
【請求項７】
前記移動局が、前記第１無線基地局又は前記第２無線基地局との間で無線リンク障害を検出した場合に、前記マルチポイント協調送受信の設定を解除する工程を更に有することを特徴とする請求項１乃至３のいずれか一項に記載の移動通信方法。
【請求項８】
前記移動局が、アイドル状態に遷移する場合に、前記マルチポイント協調送受信の設定を解除する工程を更に有することを特徴とする請求項１乃至３のいずれか一項に記載の移動通信方法。
【請求項９】
前記第１無線基地局が、前記移動局から受信した解除要求に応じて、前記移動局に対する前記マルチポイント協調送受信の設定を解除する工程を更に有することを特徴とする請求項１乃至３のいずれか一項に記載の移動通信方法。
【請求項１０】
受信部及び送信部を具備する無線基地局であって、
前記受信部が、配下のセルに接続している移動局から、他の無線基地局配下のセルに係る情報を含む測定報告を受信した場合に、前記送信部は、該他の無線基地局に対して、マルチポイント協調送受信準備信号を送信するように構成されており、
前記受信部が、前記他の無線基地局から、該他の無線基地局配下のセルの設定情報を受信した場合に、前記送信部は、前記移動局に対して、前記無線基地局及び該他の無線基地局を用いたマルチポイント協調送受信を設定するように構成されており、
前記受信部が、前記移動局から、前記他の無線基地局配下のセルにおける無線品質を受信した場合に、前記送信部は、該他の無線基地局に対して、該移動局に対するスケジューリングの開始を指示し、該移動局に対して、前記マルチポイント協調送受信のアクティブ化を指示するように構成されていることを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式において、「ＲＲＣ_Ｃｏｎｎｅｃｔｅｄ状態」の移動局ＵＥがセル境界を跨いで移動する際には、移動局ＵＥに常に適切なセルで通信を行わせるために、ハンドオーバ手順が行われるように構成されている。
【０００３】
しかしながら、同一周波数のセル間においてハンドオーバ手順が行われる場合には、移動局ＵＥは、周辺セルからの干渉によって、ハンドオーバ元セルにおいて「ＨＯ  ｃｏｍｍａｎｄ」を受信することができずに、かかるハンドオーバ手順が失敗してしまうことが懸念されている（図５（ａ）参照）。
【０００４】
そこで、図５（ｂ）に示すように、ハンドオーバ元セルだけではなくハンドオーバ先セルからも「ＨＯ  ｃｏｍｍａｎｄ」を送信することで、移動局ＵＥが「ＨＯ  ｃｏｍｍａｎｄ」を受信する確率を高めてハンドオーバ手順の失敗を抑制する制御（ＲＲＣ  ｄｉｖｅｒｓｉｔｙ）が提案されている（非特許文献１参照）。
【０００５】
ここで、「ＲＲＣ  ｄｉｖｅｒｓｉｔｙ」は、下りリンクにおけるＣｏＭＰ送受信（Ｃｏｏｒｄｉｎａｔｅｄ  Ｍｕｌｔｉ-Ｐｏｉｎｔ  ｔｒａｎｓｍｉｓｓｉｏｎ/ｒｅｃｅｐｔｉｏｎ、マルチポイント協調送受信）によって実現することができる。
【０００６】
なお、下りリンクにおけるＣｏＭＰ送受信は、複数のＴＰ（Ｔｒａｎｓｍｉｓｓｉｏｎ  Ｐｏｉｎｔ）から移動局ＵＥに対して、同一或いは異なるデータを送信することで、下りリンクにおけるスループットを向上させる技術である。
【先行技術文献】
【非特許文献】
【０００７】
【非特許文献１】３ＧＰＰ寄書Ｒ２-１３１２１１
【発明の概要】
【発明が解決しようとする課題】
【０００８】
現状、下りリンクにおけるＣｏＭＰ送受信は、同一の無線基地局ｅＮＢ配下のセルでのみ実現可能である。
【０００９】
したがって、図６に示すように、異なる無線基地局ｅＮＢ配下のセル間におけるハンドオーバ手順では、「ＲＲＣ  ｄｉｖｅｒｓｉｔｙ」を実現することができないという問題点があった。
【００１０】
そこで、本発明は、上述の課題に鑑みてなされたものであり、異なる無線基地局ｅＮＢ配下のセル間におけるハンドオーバ手順において、ネットワーク主導で「ＲＲＣ  ｄｉｖｅｒｓｉｔｙ」を実現することを可能とする移動通信方法及び無線基地局を提供することを目的とする。
【課題を解決するための手段】
【００１１】
本発明の第１の特徴は、移動通信方法であって、第１無線基地局配下の第１セルに接続している移動局が、該第１無線基地局に対して、第２無線基地局配下の第２セルに係る情報を含む測定報告を送信する工程Ａと、前記第１無線基地局が、前記第２無線基地局に対して、マルチポイント協調送受信準備信号を送信する工程Ｂと、前記第２無線基地局が、前記第１無線基地局に対して、前記第２セルの設定情報を送信する工程Ｃと、前記第１無線基地局が、前記移動局に対して、該第１無線基地局及び前記第２無線基地局を用いたマルチポイント協調送受信を設定する工程Ｄと、前記移動局が、前記第１無線基地局に対して、前記第２セルにおける無線品質を通知する工程Ｅと、前記第１無線基地局は、前記通知に応じて、前記第２無線基地局に対して、前記移動局に対するスケジューリングの開始を指示し、該移動局に対して、前記マルチポイント協調送受信のアクティブ化を指示する工程Ｆとを有することを要旨とする。
【００１２】
本発明の第２の特徴は、受信部及び送信部を具備する無線基地局であって、前記受信部が、配下のセルに接続している移動局から、他の無線基地局配下のセルに係る情報を含む測定報告を受信した場合に、前記送信部は、該他の無線基地局に対して、マルチポイント協調送受信準備信号を送信するように構成されており、前記受信部が、前記他の無線基地局から、該他の無線基地局配下のセルの設定情報を受信した場合に、前記送信部は、前記移動局に対して、前記無線基地局及び該他の無線基地局を用いたマルチポイント協調送受信を設定するように構成されており、前記受信部が、前記移動局から、前記他の無線基地局配下のセルにおける無線品質を受信した場合に、前記送信部は、該他の無線基地局に対して、該移動局に対するスケジューリングの開始を指示し、該移動局に対して、前記マルチポイント協調送受信のアクティブ化を指示するように構成されていることを要旨とする。
【発明の効果】
【００１３】
以上説明したように、本発明によれば、異なる無線基地局ｅＮＢ配下のセル間におけるハンドオーバ手順において、ネットワーク主導で「ＲＲＣ  ｄｉｖｅｒｓｉｔｙ」を実現することを可能とする移動通信方法及び無線基地局を提供することができる。
【図面の簡単な説明】
【００１４】
【図１】本発明の第１の実施形態に係る移動通信システムの全体構成を説明するための図である。
【図２】本発明の第１の実施形態に係る無線基地局ｅＮＢ＃１の機能ブロック図である。
【図３】本発明の第１の実施形態に係る移動通信システムの動作を示すフローチャートである。
【図４】本発明の第１の実施形態に係る移動通信システムの動作を説明するための図である。
【図５】従来技術を説明するための図である。
【図６】従来技術を説明するための図である。
【発明を実施するための形態】
【００１５】
（本発明の第１の実施形態に係る移動通信システム）
図１乃至図４を参照して、本発明の第１の実施形態に係る移動通信システムについて説明する。
【００１６】
図１に示すように、本実施形態に係る移動通信システムは、セル＃１を管理する無線基地局ｅＮＢ＃１と、セル＃１０を管理する無線基地局ｅＮＢ＃１０とを具備している。
【００１７】
セル＃１のカバーエリア及びセル＃１０のカバーエリアは、少なくとも一部で地理的に重複するように構成されている。ここで、セル＃１及びセル＃１０は、同一周波数のセルである。
【００１８】
例えば、セル＃１は、マクロセル（Ｍａｃｒｏ  ｃｅｌｌ）であり、セル＃１０は、ファントムセル（Ｐｈａｎｔｏｍ  ｃｅｌｌ）等のスモールセル（Ｓｍａｌｌ  ｃｅｌｌ）であってもよい。
【００１９】
また、本実施形態に係る移動通信システムでは、下りリンクにおけるＣｏＭＰは、無線基地局ｅＮＢ＃１配下のセル＃１と無線基地局ｅＮＢ＃１０配下のセル＃１０との間においても実現され得るように構成されている。
【００２０】
図２に示すように、本実施形態に係る無線基地局ｅＮＢは、受信部１１と、送信部１２とを具備している。
【００２１】
受信部１１は、移動局ＵＥ及び無線基地局ｅＮＢ＃１０から各種信号を受信するように構成されており、送信部１２は、移動局ＵＥ及び無線基地局ｅＮＢ＃１０に対して各種信号を送信するように構成されている。
【００２２】
例えば、受信部１１が、配下のセル＃１に接続している移動局ＵＥから、セル＃１０に係る情報を含む「ｍｅａｓｕｒｅｍｅｎｔ  ｒｅｐｏｒｔ」を受信した場合に、送信部１２は、無線基地局ｅＮＢ＃１０に対して、「ＣｏＭＰ  ｐｒｅｐａｒａｔｉｏｎ」を送信するように構成されている。
【００２３】
また、受信部１１が、無線基地局ｅＮＢ＃１０から、セル＃１０の設定情報（ｃｏｎｆｉｇｕｒａｔｉｏｎ）を受信した場合に、送信部１２は、移動局ＵＥに対して、無線基地局ｅＮＢ＃１及び無線基地局ｅＮＢ＃１０を用いたＣｏＭＰ送受信を設定するように構成されている。
【００２４】
さらに、受信部１１が、移動局ＵＥから、セル＃１０における無線品質を受信した場合に、送信部１２は、無線基地局ｅＮＢ＃１０に対して、移動局ＵＥに対するスケジューリングの開始を指示し、移動局ＵＥに対して、ＣｏＭＰ送受信のアクティブ化を指示するように構成されている。
【００２５】
以下、図３及び図４を参照して、本実施形態に係る移動通信システムの動作について説明する。具体的には、本実施形態に係る移動通信システムにおいて、移動局ＵＥのセル＃１からセル＃１０へのハンドオーバ手順について説明する。
【００２６】
図３及び図４に示すように、ステップＳ１０００において、移動局ＵＥは、無線基地局ｅＮＢ配下のセル＃１に接続する。
【００２７】
ステップＳ１００１において、移動局ＵＥは、セル＃１０に係る「Ｅｖｅｎｔ-Ａ」を検出した場合に、無線基地局ｅＮＢ＃１に対して、セル＃１０に係る情報を含む「ｍｅａｓｕｒｅｍｅｎｔ  ｒｅｐｏｒｔ」を送信する。
【００２８】
ステップＳ１００２において、無線基地局ｅＮＢ＃１は、無線基地局ｅＮＢ＃１０に対して、「ＣｏＭＰ  ｐｒｅｐａｒａｔｉｏｎ」を送信する。
【００２９】
例えば、「ＣｏＭＰ  ｐｒｅｐａｒａｔｉｏｎ」は、無線基地局ｅＮＢ＃１の識別情報や、移動局ＵＥの識別情報や、「ｍｅａｓｕｒｅｍｅｎｔ  ｒｅｐｏｒｔ」に含まれる測定結果等を含んでいる。
【００３０】
ここで、移動局ＵＥの識別情報は、無線基地局ｅＮＢ＃１によって割り当てられたＣ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｔｙ）であってもよいし、無線基地局ｅＮＢ＃１によって「ＲＲＣ  ｄｉｖｅｒｓｉｔｙ」用に特別に割り当てられたＲＮＴＩ（例えば、Ｄ-ＲＮＴＩ）であってもよい。
【００３１】
ステップＳ１００３において、無線基地局ｅＮＢ＃１０は、無線基地局ｅＮＢ＃１に対して、セル＃１０の設定情報（ｃｏｎｆｉｇｕｒａｔｉｏｎ）を含む「ＣｏＭＰ  ＡＣＫ」を送信する。
【００３２】
例えば、「ＣｏＭＰ  ＡＣＫ」は、無線基地局ｅＮＢ＃１０の識別情報や、移動局ＵＥの識別情報や、移動局ＵＥに対して割り当てるリソース情報等を含んでいる。
【００３３】
ここで、移動局ＵＥの識別情報は、無線基地局ｅＮＢ＃１によって割り当てられたＣ-ＲＮＴＩであってもよいし、無線基地局ｅＮＢ＃１０によって「ＲＲＣ  ｄｉｖｅｒｓｉｔｙ」用に特別に割り当てられたＲＮＴＩ（例えば、Ｄ-ＲＮＴＩ）であってもよい。
【００３４】
また、移動局ＵＥに対して割り当てるリソース情報は、「ＲＲＣ  ｄｉｖｅｒｓｉｔｙ」用の制御信号を送信するためのＥ-ＰＤＣＣＨの割り当て情報であってもよい。
【００３５】
なお、無線基地局ｅＮＢ＃１０は、移動局ＵＥに対して「ＲＲＣ  ｄｉｖｅｒｓｉｔｙ」用のリソースを割り当てることができない場合には、無線基地局ｅＮＢ＃１に対して、「ＣｏＭＰ  ＡＣＫ」の代わりに「ＣｏＭＰ  ＮＡＣＫ」を送信してもよい。
【００３６】
ここで、無線基地局ｅＮＢ＃１０は、かかる「ＣｏＭＰ  ＮＡＣＫ」によって、「リソース不足」を示す「ｃａｕｓｅ」を通知してもよい。
【００３７】
ステップＳ１００４において、無線基地局ｅＮＢ＃１は、移動局ＵＥに対して、無線基地局ｅＮＢ＃１及び無線基地局ｅＮＢ＃１０を用いた下りリンクにおけるＣｏＭＰ送受信を設定するために、「ＲＲＣ  ｃｏｎｎｅｃｔｉｏｎ  ｒｅｃｏｎｆｉｇｕｒａｔｉｏｎ」を送信する。
【００３８】
ステップＳ１００５において、移動局ＵＥは、無線基地局ｅＮＢ＃１に対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００３９】
ステップＳ１００６において、移動局ＵＥは、「Ｅｖｅｎｔ-Ｂ」を検出した場合に、無線基地局ｅＮＢ＃１に対して、セル＃１０における無線品質を通知する「ｍｅａｓｕｒｅｍｅｎｔ  ｒｅｐｏｒｔ」を送信する。
【００４０】
或いは、ステップＳ１００６において、移動局ＵＥは、「Ｅｖｅｎｔ-Ｂ」を検出した場合に、無線基地局ｅＮＢ＃１に対して、ＣＱＩ（Ｃｈａｎｎｅｌ  Ｑｕａｌｉｔｙ  Ｉｎｄｉｃａｔｏｒ）等によって、セル＃１０における無線品質を通知してもよい。
【００４１】
ステップＳ１００７において、無線基地局ｅＮＢ＃１は、かかるセル＃１０における無線品質の通知に応じて、無線基地局ｅＮＢ＃１０に対して、移動局ＵＥに対するスケジューリングの開始（「ＨＯ  ｃｏｍｍａｎｄ」の送信）を指示し、移動局ＵＥに対して、ＣｏＭＰ送受信のアクティブ化を指示する。
【００４２】
例えば、無線基地局ｅＮＢ＃１は、ＭＡＣ-ＣＥ（Ｍｅｄｉａ  Ａｃｃｅｓｓ  Ｃｏｎｔｒｏｌ-Ｃｏｎｔｒｏｌ  Ｅｌｅｍｅｎｔ）等によって、移動局ＵＥに対して、ＣｏＭＰ送受信のアクティブ化を指示する。
【００４３】
移動局ＵＥは、ステップＳ１００８において、無線基地局ｅＮＢ＃１に対して、「ＡＣＫ」を送信し、ステップＳ１００９において、複数のＴＰ、すなわち、無線基地局ｅＮＢ＃１及び無線基地局ｅＮＢ＃１０の両方からの受信を試みる。
【００４４】
具体的には、無線基地局ｅＮＢ＃１及び無線基地局ｅＮＢ＃１０の両方が、移動局ＵＥに対して「ＨＯ  ｃｏｍｍａｎｄ」を送信し、すなわち、「ＲＲＣ  ｄｉｖｅｒｓｉｔｙ」を行い、移動局ＵＥは、無線基地局ｅＮＢ＃１及び無線基地局ｅＮＢ＃１０の両方から「ＨＯ  ｃｏｍｍａｎｄ」の受信を試みる。
【００４５】
その後、上述の移動局ＵＥにおけるＣｏＭＰ送受信の設定は、ネットワーク主導で解除されてもよい。
【００４６】
例えば、無線基地局ｅＮＢ＃１は、無線基地局ｅＮＢ＃１０からの「ＣｏＭＰ  ＮＡＣＫ」に応じて、移動局ＵＥに対するＣｏＭＰ送受信の設定を解除してもよい。なお、無線基地局ｅＮＢ＃１０は、リソース不足等を検出した場合、自律的に、無線基地局ｅＮＢ＃１に対して、「ＣｏＭＰ  ＮＡＣＫ」を送信してもよい。
【００４７】
或いは、無線基地局ｅＮＢ＃１は、移動局ＵＥとの間の「ＲＲＣ  ｃｏｎｎｅｃｔｉｏｎ  ｒｅｌｅａｓｅ手順（ＲＲＣコネクション解放手順）」において、移動局ＵＥに対するＣｏＭＰ送受信の設定を解除してもよい。
【００４８】
或いは、無線基地局ｅＮＢ＃１は、移動局ＵＥの移動状況に応じて、移動局ＵＥに対するＣｏＭＰ送受信の設定を解除してもよい。
【００４９】
例えば、無線基地局ｅＮＢは、移動局ＵＥのＧＰＳ情報等によって、所定時間内の移動局ＵＥの移動距離が所定閾値よりも小さいことを検出した場合に、或いは、ＣｏＭＰ送受信の設定が行われてから所定期間が経過してもハンドオーバ手順が行われない場合等に、移動局ＵＥに対するＣｏＭＰ送受信の設定を解除してもよい。
【００５０】
また、上述の移動局ＵＥにおけるＣｏＭＰ送受信の設定は、移動局ＵＥ主導で解除されてもよい。
【００５１】
例えば、移動局ＵＥは、無線基地局ｅＮＢ＃１又は無線基地局ｅＮＢ＃１０との間でＲＬＦ（Ｒａｄｉｏ  Ｌｉｎｋ  Ｆａｉｌｕｒｅ）を検出した場合に、ＣｏＭＰ送受信の設定を解除してもよい。
【００５２】
或いは、移動局ＵＥは、「ＲＲＣ_Ｃｏｎｎｅｃｔｅｄ状態」から「ＲＲＣ_ＩＤＬＥ状態」に遷移する場合に、ＣｏＭＰ送受信の設定を解除してもよい。
【００５３】
或いは、無線基地局ｅＮＢ＃１は、移動局ＵＥから受信した解除要求に応じて、移動局ＵＥに対するＣｏＭＰ送受信の設定を解除してもよい。
【００５４】
ここで、移動局ＵＥは、ＣｏＭＰ送受信の設定の解除を望む場合、無線基地局ｅＮＢ＃１に対して、自律的に、かかる解除要求を行うことができるものとする。
【００５５】
例えば、移動局ＵＥは、ＬＴＥのＲｅｌｅａｓｅ-１１方式で規定された「ＰＰＩ（Ｐｏｗｅｒ  Ｐｒｅｆｅｒｅｎｃｅ  Ｉｎｄｉｃａｔｏｒ）」によって「Ｐｏｗｅｒ  ｓａｖｉｎｇしたい旨」を通知することによって、上述の解除要求を行ってもよい。
【００５６】
以上に述べた本実施形態の特徴は、以下のように表現されていてもよい。
【００５７】
本実施形態の第１の特徴は、移動通信方法であって、無線基地局ｅＮＢ＃１（第１無線基地局）配下のセル＃１（第１セル）に接続している移動局ＵＥが、無線基地局ｅＮＢ＃１に対して、無線基地局ｅＮＢ＃１０（第２無線基地局）配下のセル＃１０（第２セル）に係る情報を含む「ｍｅａｓｕｒｅｍｅｎｔ  ｒｅｐｏｒｔ（測定報告）」を送信する工程Ａと、無線基地局ｅＮＢ＃１が、無線基地局ｅＮＢ＃１０に対して、「ＣｏＭＰ  ｐｒｅｐａｒａｔｉｏｎ（マルチポイント協調送受信準備信号）」を送信する工程Ｂと、無線基地局ｅＮＢ＃１０が、無線基地局ｅＮＢ＃１に対して、セル＃１０の設定情報（ｃｏｎｆｉｇｕｒａｔｉｏｎ）を送信する工程Ｃと、無線基地局ｅＮＢ＃１が、移動局ＵＥに対して、無線基地局ｅＮＢ＃１及び無線基地局ｅＮＢ＃１０を用いたＣｏＭＰ送受信（マルチポイント協調送受信）を設定する工程Ｄと、移動局ＵＥが、無線基地局ｅＮＢ＃１に対して、セル＃１０における無線品質を通知する工程Ｅと、無線基地局ｅＮＢ＃１は、かかる通知に応じて、無線基地局ｅＮＢ＃１０に対して、移動局ＵＥに対するスケジューリングの開始を指示し、移動局ＵＥに対して、ＣｏＭＰ送受信のアクティブ化を指示する工程Ｆとを有することを要旨とする。
【００５８】
かかる特徴によれば、無線基地局ｅＮＢ＃１配下のセル＃１と無線基地局ｅＮＢ＃１０配下のセル＃１０との間で、下りリンクにおけるＣｏＭＰを行うことができ、その結果、無線基地局ｅＮＢ＃１配下のセル＃１と無線基地局ｅＮＢ＃１０配下のセル＃１０との間におけるハンドオーバ手順において、ネットワーク主導で「ＲＲＣ  ｄｉｖｅｒｓｉｔｙ」を実現することができる。
【００５９】
本実施形態の第１の特徴において、「ＣｏＭＰ  ｐｒｅｐａｒａｔｉｏｎ」は、無線基地局ｅＮＢ＃１の識別情報と、移動局ＵＥの識別情報と、「ｍｅａｓｕｒｅｍｅｎｔ  ｒｅｐｏｒｔ」に含まれる測定結果とを含んでいてもよい。
【００６０】
かかる特徴によれば、無線基地局ｅＮＢ＃１０は、下りリンクにおけるＣｏＭＰ、すなわち、「ＲＲＣ  ｄｉｖｅｒｓｉｔｙ」を行うために必要な情報を取得することができる。
【００６１】
本実施形態の第１の特徴において、工程Ｃにおいて、無線基地局ｅＮＢ＃１０は、「ＣｏＭＰ  ＡＣＫ（マルチポイント協調送受信肯定応答信号）」によって、セル＃１０の設定情報を送信し、「ＣｏＭＰ  ＡＣＫ」は、無線基地局ｅＮＢ＃１０の識別情報と、移動局ＵＥの識別情報と、移動局ＵＥに対して割り当てるリソース情報とを含んでいてもよい。
【００６２】
かかる特徴によれば、無線基地局ｅＮＢ＃１は、下りリンクにおけるＣｏＭＰ、すなわち、「ＲＲＣ  ｄｉｖｅｒｓｉｔｙ」を行うために必要な情報を取得することができる。
【００６３】
本実施形態の第１の特徴において、無線基地局ｅＮＢ＃１が、無線基地局ｅＮＢ＃１０からの「ＣｏＭＰ  ＮＡＣＫ（マルチポイント協調送受信否定応答信号）」に応じて、移動局ＵＥに対するＣｏＭＰ送受信の設定を解除する工程を更に有していてもよい。
【００６４】
かかる特徴によれば、無線基地局ｅＮＢ＃１は、無線基地局ｅＮＢ＃１０においてリソース不足等が発生した場合に、適切に、移動局ＵＥに対するＣｏＭＰ送受信の設定を解除することができる。
【００６５】
本実施形態の第１の特徴において、無線基地局ｅＮＢ＃１が、移動局ＵＥとの間のＲＲＣコネクション解放手順において、移動局ＵＥに対するＣｏＭＰ送受信の設定を解除する工程を更に有していてもよい。
【００６６】
かかる特徴によれば、無線基地局ｅＮＢ＃１と移動局ＵＥとの間のＲＲＣコネクションを解放するタイミングで、不要となる移動局ＵＥに対するＣｏＭＰ送受信の設定を解除することができる。
【００６７】
本実施形態の第１の特徴において、無線基地局ｅＮＢ＃１が、移動局ＵＥの移動状況に応じて、移動局ＵＥに対するＣｏＭＰ送受信の設定を解除する工程を更に有していてもよい。
【００６８】
かかる特徴によれば、無線基地局ｅＮＢ＃１は、移動局ＵＥがほとんど移動しておらず、ハンドオーバ手順が行われる可能性が低いと考えられる状況において、移動局ＵＥに対するＣｏＭＰ送受信の設定を解除することができる。
【００６９】
本実施形態の第１の特徴において、移動局ＵＥが、無線基地局ｅＮＢ＃１又は無線基地局ｅＮＢ＃１０との間でＲＬＦ（無線リンク障害）を検出した場合に、ＣｏＭＰ送受信の設定を解除する工程を更に有していてもよい。
【００７０】
かかる特徴によれば、移動局ＵＥは、無線基地局ｅＮＢ＃１と移動局ＵＥとの間でＲＬＦを検出し、再接続手順（Ｒｅｅｓｔａｂｌｉｓｈ手順）を行うタイミングで、不要となる移動局ＵＥに対するＣｏＭＰ送受信の設定を解除することができる。
【００７１】
本実施形態の第１の特徴において、移動局ＵＥが、「ＲＲＣ_ＩＤＬＥ状態（アイドル状態）」に遷移する場合に、ＣｏＭＰ送受信の設定を解除する工程を更に有していてもよい。
【００７２】
かかる特徴によれば、移動局ＵＥは、「ＲＲＣ_ＩＤＬＥ状態」に遷移するタイミングで、不要となるＣｏＭＰ送受信の設定を解除することができる。
【００７３】
本実施形態の第１の特徴において、無線基地局ｅＮＢ＃１が、移動局ＵＥから受信した解除要求に応じて、移動局ＵＥに対するＣｏＭＰ送受信の設定を解除する工程を更に有していてもよい。
【００７４】
かかる特徴によれば、移動局ＵＥは、自律的に、下りリンクにおけるＣｏＭＰ送受信を行うことに起因するバッテリ消費を回避することができる。
【００７５】
本実施形態の第２の特徴は、受信部１１及び送信部１２を具備する無線基地局ｅＮＢ＃１であって、受信部１１が、配下のセル＃１に接続している移動局ＵＥから、無線基地局ｅＮＢ＃１０（他の無線基地局）配下のセル＃１０に係る情報を含む「ｍｅａｓｕｒｅｍｅｎｔ  ｒｅｐｏｒｔ」を受信した場合に、送信部１２は、無線基地局ｅＮＢ＃１０に対して、「ＣｏＭＰ  ｐｒｅｐａｒａｔｉｏｎ」を送信するように構成されており、受信部１１が、無線基地局ｅＮＢ＃１０から、セル＃１０の設定情報を受信した場合に、送信部１２は、移動局ＵＥに対して、無線基地局ｅＮＢ＃１及び無線基地局ｅＮＢ＃１０を用いたＣｏＭＰ送受信を設定するように構成されており、受信部１１が、移動局ＵＥから、セル＃１０における無線品質を受信した場合に、送信部１２は、無線基地局ｅＮＢ＃１０に対して、移動局ＵＥに対するスケジューリングの開始を指示し、移動局ＵＥに対して、ＣｏＭＰ送受信のアクティブ化を指示するように構成されていることを要旨とする。
【００７６】
かかる特徴によれば、無線基地局ｅＮＢ＃１配下のセル＃１と無線基地局ｅＮＢ＃１０配下のセル＃１０との間で、下りリンクにおけるＣｏＭＰを行うことができ、その結果、無線基地局ｅＮＢ＃１配下のセル＃１と無線基地局ｅＮＢ＃１０配下のセル＃１０との間におけるハンドオーバ手順において、ネットワーク主導で「ＲＲＣ  ｄｉｖｅｒｓｉｔｙ」を実現することができる。
【００７７】
なお、上述の移動局ＵＥや無線基地局ｅＮＢ＃１/ｅＮＢ＃１０の動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１０内に設けられていてもよい。また、かかる記憶媒体及びプロセッサは、ディスクリートコンポーネントとして移動局ＵＥや無線基地局ｅＮＢ＃１/ｅＮＢ＃１０内に設けられていてもよい。
【００８０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８１】
ｅＮＢ＃１/ｅＮＢ＃１０…無線基地局
ＵＥ…移動局
１１…受信部
１２…送信部
【図１】
2014220692.tif 000003
【図２】
2014220692.tif 000004
【図３】
2014220692.tif 000005
【図４】
2014220692.tif 000006
【図５】
2014220692.tif 000007
【図６】
2014220692.tif 000008